(57)【要約】【課題】入浴者を安楽な状態で座部上に安定的に座らせることができ、入浴者に対して安心感を与えつつ洗体を適正かつ円滑に行うことができるシャワーチェアを提供すること。【解決手段】一対の肘掛け部１５が、それぞれ一対の支柱部１４の双方に対して着脱可能とされ、かつ、前記支柱部１４への取付け位置における前記支柱部１４の中心を通る前記肘掛け部１５の両側面に平行な仮想線Ｌと、前記両側面との間の幅寸法が、前記両側面で互いに異なるように形成され、前記両支柱部１４に取付けられる肘掛け部１５を互いに交換することによって、前記両肘掛け部１５の間の幅寸法を変更可能とされていること。【選択図】      図７
2004290606.tif 000002
【特許請求の範囲】
【請求項１】
脚部と、この脚部に支持された座部と、この座部の両側方から上方へ延在する一対の支柱部と、これら一対の支柱部にそれぞれ配設された一対の肘掛け部と、前記一対の支柱部における前記一対の肘掛け部の上方位置に、両支柱部間に配設された背もたれ部とを有するシャワーチェアにおいて、
前記一対の肘掛け部は、それぞれが、前記一対の支柱部の双方に対して着脱可能とされ、かつ、前記支柱部への取付け位置における前記支柱部の中心を通る前記肘掛け部の両側面に平行な仮想線と、前記両側面との間の幅寸法が、前記両側面で互いに異なるように形成され、
前記両支柱部に取付けられる肘掛け部を互いに交換することによって、前記両肘掛け部の間の幅寸法を変更可能とされている
ことを特徴とするシャワーチェア。
【請求項２】
前記座部は、前記座面上に着脱可能に配設された前後で厚みが異なるクッション部を有し、このクッション部は、前記座面上に前後を逆にして付け替え可能とされていることを特徴とする請求項１に記載のシャワーチェア。
【請求項３】
前記クッション部は、前記座面よりも平面積が大きく形成され、前記座面の表面全体を被覆するように配設されていることを特徴とする請求項２に記載のシャワーチェア。
【請求項４】
前記一対の肘掛け部は、前記支柱部の長手方向における取付け位置を変更可能とされていることを特徴とする請求項１乃至請求項３のいずれか１項に記載のシャワーチェア。
【請求項５】
脚部と、この脚部に支持された座部と、この座部の両側方から上方へ延在する一対の支柱部と、これら一対の支柱部のそれぞれ配設された一対の肘掛け部と、前記一対の支柱部における前記一対の肘掛け部の上方位置に、両支柱部間に配設された背もたれ部とを有するシャワーチェアにおいて、
前記座部は、前記座面上に着脱可能に配設された前後で厚みが異なるクッション部を有し、このクッション部は、前記座面上に前後を逆にして付け替え可能とされていることを特徴とするシャワーチェア。
【発明の詳細な説明】
【０００１】
【産業上の利用分野】
本発明は、シャワーチェアに係り、特に、介護を必要とする高齢者等の入浴を手助けするのに好適なシャワーチェアに関する。
【０００２】
【従来の技術】
従来から、高齢者等の介護を必要とする入浴者を手助けする手段として、入浴者を椅子に座らせたままの状態で洗体することができるように形成されたシャワーチェアが採用されていた。
【０００３】
このようなシャワーチェアには、脚部、座部、背もたれ部および肘掛け部といった、一般的な椅子の構成を備えたものもあった。
【０００４】
また、前記肘掛け部としては、シャワーチェア本体への固定式のものや、本体の一部が肘掛けの機能を有するもの、あるいは、着座動作を妨げないようにすることを考慮した跳ね上げ式のものなど様々な構成が採用されている。
【０００５】
さらに、前記座部としては、入浴者が脱衣状態で座ることを考慮して、硬質な材料で形成された座面上に、この座面よりも平面積の小さな柔軟なクッションを固定したものや、座面をクッションが全て覆っているものなどが採用されている。
【０００６】
【特許文献１】
特開２００１−１７３４０号公報
【０００７】
【発明が解決しようとする課題】
しかしながら、従来は、入浴者の体型に応じて肘掛け部の位置を適正に調整することができなかったため、左右の肘掛け部の間の幅が、入浴者の身幅に対して広くなり過ぎたり、あるいは、狭くなり過ぎたりする場合は、入浴者の体を座部上に安定的に保持させることができなかった。
【０００８】
本発明は、このような問題点に鑑みなされたもので、入浴者を安楽な状態で座部上に安定的に座らせることができ、入浴者に対して安心感を与えつつ洗体を適正かつ円滑に行うことができるシャワーチェアを提供するものである。
【０００９】
【課題を解決するための手段】
前記目的を達成するため本発明の請求項１に係るシャワーチェアの特徴は、一対の肘掛け部が、それぞれが、前記一対の支柱部の双方に対して着脱可能とされ、かつ、前記支柱部への取付け位置における前記支柱部の中心を通る前記肘掛け部の両側面に平行な仮想線と、前記両側面との間の幅寸法が、前記両側面で互いに異なるように形成され、前記両支柱部に取付けられる肘掛け部を互いに交換することによって、前記両肘掛け部の間の幅寸法を変更可能とされている点にある。
【００１０】
そして、この請求項１に係る発明によれば、前記一対の肘掛け部を互いに付け換えることによって、両肘掛け部の間の幅寸法を入浴者の体型に応じて調整することができるため、入浴者の体を座部上に安定的に保持させることが可能となる。
【００１１】
請求項２に係るシャワーチェアの特徴は、請求項１において、前記座部は、前記座面上に着脱可能に配設された前後で厚みが異なるクッション部を有し、このクッション部は、前記座面上に前後を逆にして付け替え可能とされている点にある。
【００１２】
そして、この請求項２に係る発明によれば、座面の傾きが、洗体時の姿勢や、洗い場の傾斜に適合しない場合においても、前後の厚みが異なる前記クッション部を、前後を入れ替えて座面上に取付けることができることによって、入浴者の体を座部に安定的に保持させることが可能となり、さらに、前記クッション部のみを取り外して独自に洗浄することができ、衛生面を向上することが可能となる。
【００１３】
請求項３に係るシャワーチェアの特徴は、請求項２において、前記クッション部は、前記座面よりも平面積が大きく形成され、前記座面の表面全体を被覆するように配設されている点にある。
【００１４】
そして、この請求項３に係る発明によれば、座面の全面をクッション部で覆うことができるため、座部上に座る際の感触を柔らかくすることができ、入浴者をさらに安楽な状態で座部上に座らせることが可能となる。
【００１５】
請求項４に係るシャワーチェアの特徴は、請求項１乃至請求項３のいずれか１項において、前記一対の肘掛け部は、前記支柱部の長手方向における取付け位置を変更可能とされている点にある。
【００１６】
そして、この請求項４に係る発明によれば、入浴者の体型に応じて前記一対の肘掛け部の高さを調整することができるため、入浴者の体をさらに安定的に座部上に保持させることが可能となる。
【００１７】
請求項５に係るシャワーチェアの特徴は、座部が、座面上に着脱可能に配設された前後で厚みが異なるクッション部を有し、このクッション部が、前記座面上に前後を逆にして付け替え可能とされている点にある。
【００１８】
そして、この請求項５に係る発明によれば、座面の傾きが、洗体時の姿勢や、洗い場の傾斜に適合しない場合においても、前後の厚みが異なる前記クッション部を、前後を入れ替えて座面上に取付けることができることによって、入浴者の体を座部に安定的に保持させることが可能となり、さらに、前記クッション部のみを取り外して独自に洗浄することができ、衛生面を向上することが可能となる。
【００１９】
【発明の実施の形態】
以下、本発明に係るシャワーチェアの実施形態について、図１乃至図８を参照して説明する。
【００２０】
図１は、本実施形態におけるシャワーチェア１の正面図、図２は左側面図を、図３は右側面図を、図４は平面図を、図５は下面図を、図６は背面図を、図７は、肘掛け部の拡大図を、図８は、図１と異なるクッション部の構成を示したものである。
【００２１】
本実施形態におけるシャワーチェア１は、入浴者が着座するための座部２を有しており、この座部２は、上面が座面とされた所定の厚みを有する座盤６を有している。
【００２２】
前記座部２の図１における左右の両側方には、前記座部２を支持する左右対称の一対の脚部３が配設されている。
【００２３】
図２および図３に示すように、前記各脚部３は、金属製のパイプ等の長尺体によって形成された前脚４と後脚５とを有している。前記長尺体は、軽量化の観点からは、中空のものであることが好ましいが、必要に応じて中実のものであってもよい。
【００２４】
前記前脚４は、その下端部から前記座部２の直近に至る範囲までは直線状に形成され、それよりも上方の範囲は、後方へ向かって緩やかに屈曲した形状に形成されている。そして、使用状態において、前記前脚４は、その下端部が上端部よりも前方に位置されるようになっている。
【００２５】
前記後脚５は、下端部から上端部にわたって直線状に形成されているとともに、その上端部を前記前脚４の上端部に回動自在に支持されている。そして、使用状態において、前記後脚５は、その下端部が上端部よりも後方に位置されるようになっている。
【００２６】
前記一対の後脚５の間において、前記座盤６の下面に臨む位置に配設された軸受９に前記座盤６の横幅に沿って長尺とされた後脚側軸部８が、回転自在に支持されている。
【００２７】
前記一対の前脚４の間であって、前記座盤６の下面に臨む位置には、前記座盤６の横幅に沿って長尺とされた前脚側軸部１０が、その両端部を前記各前脚４に支持されており、この前脚側軸部１０は、前記座盤６の下面に配設された係止部１２を介して前記座盤６の下面に係脱可能とされている。
【００２８】
さらに、前記前脚側軸部１０における両端部の近傍位置には、一対の回動アーム１３が、その先端部を介して連結されており、各回動アーム１３は、その基端部を前記座盤６の下面に回動自在に支持されることによって、前記前脚側軸部１０を前記係止部１２に対する係脱方向に回動させることができるようになっている。
【００２９】
これによって、前記座部２、前記前脚４および前記後脚５を相対的に回動させて折り畳むことができるようになっている。
【００３０】
前記座部２の左右両側方に位置する前記一対の前脚４の上端部には、左右対称とされた一対の支柱部１４が、やや後方に傾くようにして上方へ向かって延出形成されている。
【００３１】
そして、前記一対の支柱部１４の外周には、前記座部２に対してほぼ平行とされた一対の肘掛け部１５が配設されており、これら一対の肘掛け部１５は、それぞれ前記一対の支柱部１４の双方に対して、ボルト等の締結部材１７によって着脱可能とされている。
【００３２】
また、図４に示すように、前記一対の肘掛け部１５は、その平面形状が、互いに左右対称とされている。
【００３３】
さらに、前記各肘掛け部１５は、図７に示すように、前記支柱部１４への取付け位置における支柱部１４の中心を通る前記肘掛け部１５の両側面に平行な仮想線Ｌと、この仮想線Ｌを挟む前記両側面との間の幅寸法ｄ１  ，ｄ２  が、両側面で互いに異なるように形成されている。
【００３４】
なお、図４、図７においては、前記仮想線Ｌと前記肘掛け部１５の図７中左側の側面との間の幅寸法ｄ１  の方が、前記仮想線Ｌと前記肘掛け部１５の図７中右側の側面との間の幅寸法ｄ２  よりも短くなっている。
【００３５】
従って、前記一対の肘掛け部１５を互いに付け替えることによって、両肘掛け部１５の間の幅寸法を変更することができるようになっている。例えば、図４において、左右の肘掛け部１５を付け替えると、図４とは逆に、前記仮想線Ｌと前記肘掛け部１５の外側の側面との間の幅寸法ｄ２  の方が、前記仮想線Ｌと前記肘掛け部１５の内側の側面との間の幅寸法ｄ１  よりも短くなり、図４のときよりも、両肘掛け部１５の間の幅を狭くすることができるようになっている。
【００３６】
この結果、腰幅や胴幅等の入浴者の身幅に応じて入浴者の体を座部２に安定的に保持させることができるようになっている。
【００３７】
さらに、前記支柱部１４には、その長手方向に沿って前記肘掛け部１５を取付けるための複数箇所の取付け位置が設けられており、これら複数箇所の取付け位置によって、前記肘掛け部の高さを調整することができるようになっている。
【００３８】
この結果、座部２に座る際の入浴者の肘の高さに応じて、入浴者の体を座部２に安定的に保持させることができるようになっている。
【００３９】
前記支柱部１４における前記一対の肘掛け部１５の上方には、これら一対の支柱部１５の間に背もたれ部１８が配設されている。
【００４０】
さらに、本実施形態において、前記座部２は、発泡性のウレタン等の軟質材等からなるクッション部１９を有しており、このクッション部１９は、下面に形成された突起部２０を、前記座盤６における前記突起部２０に臨む位置に形成された圧入孔２１に圧入させることによって、前記座盤６に対して着脱可能とされている。
【００４１】
ここで、従来においては、クッションがシャワーチェアの本体に固定されていたため、クッションのみを取り外して洗浄することができないといった問題を有していた。
【００４２】
これに対し、本実施形態においては、クッション部１９がシャワーチェア１の本体を構成する座盤６に対して着脱可能とされていることにより、クッション部１９のみを本体から取り外して独自に洗浄することができ、この結果、入浴者が直接肌に触れるクッション部１９を清潔な状態に保つことができるようになっている。
【００４３】
また、本実施形態におけるクッション部１９は、座面よりも平面積が大きく形成され、座面の表面全体を被覆するように配設されている。
【００４４】
ここで、従来においては、クッションの平面積が、座面の平面積よりも小さかったため、入浴者が座った際に、座面における硬質の部分が体に当たって座り心地が良くないといった問題を有していた。
【００４５】
これに対し、本実施形態においては、座面の全面をクッション部１９で覆うことができるため、座部２に座る際の感触を柔らかくすることができ、この結果、入浴者をさらに安楽な状態で座らせることができるようになっている。
【００４６】
さらに、上記の構成に加えて、前記クッション部１９を図８に示すように前後の厚みを互いに異なるように形成し、座面上に前後を逆にして取付けることができるように構成してもよい。
【００４７】
ここで、座面上のクッションの厚みが均一である場合、座面の傾きが、洗体時の姿勢や、洗い場の傾斜等に適合しなければ、入浴者の体を座部に安定的に保持させることができないといった不具合を生じさせてしまう場合がある。
【００４８】
これに対し、前記のようにクッション部１９を構成すれば、前後の厚みが異なるクッション部１９を前後を入れ替えて座面上に取付けることによってクッション部１９の傾斜を変更することができ、この結果、洗体時の姿勢や洗い場の傾斜等に応じて入浴者の体を座部２に安定的に保持させることができる。
【００４９】
前記座部２における中央には、前記座盤６および前記クッション部１９を貫通する貫通孔２３が形成されており、この貫通孔２３によって、使用時に座部２上に貯留した水分を自然に落下させて座部２上から除去することができるようになっている。
【００５０】
前記一対の前脚４の間および前記一対の後脚５の間であって、床面上から互いに同一の高さの位置には、前記座盤６の幅方向に沿って長尺とされた一対の補強部材２４が配設されており、これら一対の補強部材２４によって、前記脚部３を補強することができるようになっている。
【００５１】
次に、本実施形態の作用について説明する。
【００５２】
なお、本実施形態においては、クッション部１９として、図８に示したような前後の厚みが異なり、前後を逆にして付け替え可能なクッション部１９を用いるものとする。
【００５３】
まず、初期状態においては、図４、図７に示すように、前記仮想線Ｌと前記肘掛け部１５の図７中左側の側面との間の幅寸法ｄ１  の方が、前記仮想線Ｌと前記肘掛け部１５の図７中右側の側面との間の幅寸法ｄ２  よりも短くなっているものとする。
【００５４】
また、クッション部１９は、厚みの薄い部位が前方に位置するような向きで座面上に取付けられているものとする。
【００５５】
そして、初期状態から、洗体のために座部２上に入浴者を座らせる際には、予め、入浴者の身幅や姿勢に応じて左右の肘掛け部１５の付け替えを行い、ボルト等の締結部材１７で固定しておく。
【００５６】
すなわち、入浴者が身幅の太い人であれば、肘掛け部１５を図４、図７に示す状態にしたまま入浴者を座部２に座らせる。
【００５７】
したがって、本実施形態によれば、使用に際して肘掛け部１５の位置調整を行うことができることによって、肘掛け部１５の高さおよび肘掛け部１５によって挟まれた座部２の上方の空間の幅を、入浴者の体型に適合させることができ、この結果、入浴者を安楽な状態で座部２上に安定的に座らせることができる。
【００５８】
このとき、両肘掛け部１５における内側の側面は、前記座部２に対してある程度の余裕を有した状態で座部２の外側に位置されているため、身幅の太い入浴者であっても窮屈になることはなく、ゆとりをもった状態で座部２上に安定的に座らせることができる。
【００５９】
一方、入浴者が身幅の細い人であれば、図４における左右の肘掛け部１５を互いに付け替える。
【００６０】
これによって、両肘掛け部１５における内側の側面は、図４、図７に示す状態よりも内側に位置されるため、身幅の細い入浴者であっても、体と肘掛け部１５との間に隙間があり過ぎることはなく、安定的した状態で座部２上に座らせることができる。
【００６１】
また、例えば、入浴者の腰が曲がっているために通常よりも浅く腰かける場合や、洗い場が前方へ向かって下りに傾斜している場合においては、前記クッション部１９を初期状態から前後を逆にして厚みの厚い部位を前側にして座盤６に取付ける。
【００６２】
これによって、クッション部１９の傾きを洗体の姿勢や洗い場の傾斜に適合させることができ、この結果、入浴者を更に安定的な状態で座部２上に座らせることができる。
【００６３】
なお、本発明は前記実施形態のものに限定されるものではなく、必要に応じて種々変更することが可能である。
【００６４】
例えば、本発明は、折りたたみ式のシャワーチェア以外のシャワーチェアや、脚部にキャスタが設けられた車いす式のシャワーチェア等にも適用し得るものである。
【００６５】
【発明の効果】
以上述べたように、本発明の請求項１に係るシャワーチェアによれば、入浴者の体を安楽な状態で座部上に安定的に保持させることによって、入浴者に対して安心感を与えつつ洗体を適正かつ円滑に行うことができる。
【００６６】
請求項２に係るシャワーチェアによれば、請求項１に係るシャワーチェアの効果に加えて、さらに安定的に入浴者の体を座部に保持させることができ、また、座部を清潔に保つことができる。
【００６７】
請求項３に係るシャワーチェアによれば、請求項２に係るシャワーチェアの効果に加えて、入浴者に対してより一層の安心感と心地よさとを与えながら洗体を行うことができる。
【００６８】
請求項４に係るシャワーチェアによれば、請求項１乃至請求項３に係るシャワーチェアの効果に加えて、より適正かつ円滑に入浴者に対する洗体を行うことができる。
【００６９】
請求項５に係るシャワーチェアによれば、安定的に入浴者の体を座部に保持させることができ、また、座部を清潔に保つことができる。
【図面の簡単な説明】
【図１】本発明に係るシャワーチェアの実施形態を示す正面図
【図２】図１の左側面図
【図３】図１の右側面図
【図４】図１の平面図
【図５】図１の下面図
【図６】図１の背面図
【図７】本発明に係るシャワーチェアの実施形態において、肘掛け部の構成を示す拡大図
【図８】本発明に係るシャワーチェアの実施形態に置いて、図１と異なるクッション部の構成を示す図
【符号の説明】
１  シャワーチェア
２  座部
３  脚部
４  前脚
５  後脚
６  座盤
１４  支柱部
１５  肘掛け部
１８  背もたれ部
１９  クッション部
【図１】
2004290606.tif 000003
【図２】
2004290606.tif 000004
【図３】
2004290606.tif 000005
【図４】
2004290606.tif 000006
【図５】
2004290606.tif 000007
【図６】
2004290606.tif 000008
【図７】
2004290606.tif 000009
【図８】
2004290606.tif 000010